【事件の表示】
　特願２００１−　９２７３０「プリンティングシステム」拒絶査定不服審判事件〔平成１４年１０月　３日出願公開、特開２００２−２８３６２７〕について、次のとおり審決する。
【結　論】
　本件審判の請求は、成り立たない。
【理　由】
第１　手続の経緯
　本願は、平成１３年３月２８日の特許出願であって、原審において、平成２１年１０月１６日付けで手続補正がなされ、同年１２月２８日付けで拒絶査定がなされ、これに対し、平成２２年４月２日に拒絶査定不服審判の請求がなされると同時に、手続補正がなされたものである。
　その後、当審において、平成２２年１０月１３日付けで審判請求人に前置報告書の内容を示し意見を求めるための審尋を行ったところ、回答書は提出されなかった。
　　
第２　平成２２年４月２日付け手続補正についての補正却下の決定
　　
〔補正却下の決定の結論〕
　平成２２年４月２日付け手続補正を却下する。
　　
〔理由〕
１　本件補正の内容
（１）平成２２年４月２日付け手続補正（以下「本件補正」という。）は、明細書の特許請求の範囲についてするものであって、特許請求の範囲の請求項１については、本件補正前（平成２１年１０月１６日付け手続補正後のもの）に
「【請求項１】　印刷済み画像を再現する再現画像を印刷する画像形成装置の制御装置であって、
　前記印刷済み画像に関するネットワークアドレスを取得するネットワークアドレス取得手段と、
　前記ネットワークアドレスにアクセスして、前記ネットワークアドレスの画像情報センタから前記印刷済み画像の画像データ及び前記画像データから印刷データへの変換に用いる変換データを修正するための画像形成装置毎の微調整用の修正用データとを取得する画像情報取得手段と、
　前記画像データと前記修正用データとを用いて前記印刷データを得る印刷データ変換手段と
を備えたことを特徴とする制御装置。」
とあったものを、
　　
「【請求項１】　印刷済み画像を再現する再現画像を印刷する画像形成装置の制御装置であって、
　前記印刷済み画像に関するネットワークアドレスを取得するネットワークアドレス取得手段と、
　前記ネットワークアドレスにアクセスして、前記ネットワークアドレスの画像情報センタから前記印刷済み画像の画像データ及び前記画像データから印刷データへの変換に用いる変換データを修正するための
、画像データ毎に設けられ、
のために用いられる
　前記画像データと前記修正用データとを用いて前記印刷データを得る印刷データ変換手段と
を備えたことを特徴とする制御装置。」 
と補正するものである。（下線は審決で付した。以下同じ。）
　　
（２）上記（１）の補正内容は、本件補正前の請求項１に記載した発明を特定するために必要な事項である「画像情報取得手段」が取得する「修正用データ」を、「画像データ毎に設けられ、画像形成装置毎の微調整のために用いられる」と限定するものである。
　　
２　補正の目的
　上記１（２）の補正内容は、本件補正前の請求項１に記載した発明を特定するために必要な事項を限定するものであるから、平成１８年法律第５５号改正附則第３条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
３　刊行物の記載
（１）本願の出願前に頒布され、原査定の拒絶の理由において引用された刊行物である、特開２０００−２１１１９７号公報（以下「引用例１」という。）には、次の事項が図とともに記載されている。
ア　「【０００１】
【発明の属する技術分野】本発明は、画像データを用いてプリントを行うプリンタ、プリント方法、及びプリントに関するものである。
【０００２】
【従来の技術】最近、デジタルカメラ、プリンタ、パソコンなどが急速に普及しており、この普及に伴って高機能のものが安価に提供されるようになってきている。これにより、カメラやスキャナー等で取り込んだ画像データを用いて、簡単にプリントが行われるようになってきている。
【０００３】
【発明が解決しようとする課題】このような画像データに基づき作成されたプリントを再度プリントする場合に、メモリカード等がパソコンやプリンタに挿入されている状態では、再プリント画像の特定が容易である。しかし、メモリカードをプリンタ等から取り出した場合や、取り出した後にある程度の期間が過ぎてしまった場合は、プリント対象の画像データを特定するのが困難になる。しかも、画像データの特定は、画像データをディスプレイに表示し、手元の画像とディスプレイ画像とを比較して一致しているか否か等を照合する必要があり、手間を要する。また、通常のプリンタでは、不特定多数の記憶場所を指定することができないため、再プリント画像が限定されてしまうという問題がある。
【０００４】本発明は上記課題を解決するためのものであり、画像データに基づく再プリントを簡単に行うことができるようにしたプリンタ、プリント方法、及びプリントを提供することを目的とする。」
イ　「【００１２】本発明の
カラー感熱プリンタ
【００１３】このため、記録紙１０の出入り口２７にはフォトインタラプタ型の記録紙センサ３０が設けられている。この記録紙センサ３０は投光器３０ａと受光器３０ｂとから構成されており、出入り口２７への記録紙１０の挿入を検出する。また、送りローラ対１５とサーマルヘッド１３との間で、サーマルヘッド１３側にはバーコードセンサ３１及びバーコードリーダー３２が配置されている。バーコードセンサ３１及びバーコードリーダー３２は、図２に示す画像データ保管場所バーコード３３を読み取る。このバーコード３３は、プリント２９の画像３５の一側縁３５ａに記録されている。このバーコード３３の読み取りの際には、プリントステージ１２側のサーマルヘッド１３、プラテンローラ１４、光定着器２１，２２は作動することがない。また、プラテンローラ１４はサーマルヘッド１３の発熱素子アレイ１３ａに記録紙１０を押しつける圧着位置から退避位置にされており、この隙間をプリント２９が通過する。
【００１４】
システムコントローラ４０はＣＰＵ４１、メモリ４２、ディスプレイ４３、操作パネル４４を備えており、各部を制御する。この他に、システムコントローラ４０は、バーコードデータ生成部４５、画像処理部４６、プリントコントローラ４７、メモリコントローラ４８、画像メモリ４９、データ入出力部５０、通信部５１が接続されている
【００１５】バーコードデータ生成部４５は、画像データの保管場所を示す情報に基づき画像データ保管場所バーコード３３（図２参照）を作成する。画像処理部４６は、周知の色補正や輪郭強調などの各種の画像処理を行う他に、画像データ保管場所バーコード３３をプリント画像３５の一側縁３５ａに画像合成する。この保管場所バーコード３３の記録色は、イエロー、マゼンタ、シアンの単色で記録する場合には他の色の場合と異なり、レジずれの影響がなく、好ましく用いられる。特に、イエロー単色で記録する場合には、イエロー自体が目立たないため、保管場所バーコード３３を目立たなくすることができる。なお、バーコード３３の色は、これら単色に限定されることなく、各種色で記録してよい。」
ウ　「【００１７】
プリントコントローラ４７は、画像処理部４６で画像処理された画像データから１ライン単位でデータを読み出して、これをシステムコントローラ４０を介してサーマルヘッド駆動部５２に送る
画像データは、システムコントローラ４０を介して画像処理部４６やサーマルヘッド駆動部５２などに送られる
エ　「【００１９】通信部５１は、周知のモデム５６、電話回線５７などから構成されており、外部のインターネット上の画像サーバーやパソコンなどの外部画像データ源５８から、画像データを取り込む。なお、モデム５６の他に、ルーターやＴＡ、ＤＳＵ等の機器を用いてもよい。
【００２０】図３はシステムコントローラ４０における処理手順を示すフローチャートである。電源が投入されると、各部が初期化された後に、キー入力、プリントの挿入、メモリカードの挿入などの待機状態になる。
キー入力により、画像データ保管場所情報が入力されると、これが外部画像データの場合には通信部５１が作動する。そして、インターネットアドレスで記述された画像データ保管場所情報に基づき、対応する画像サーバーやホームページ等の外部画像データ源５８に接続され、該当する画像ファイルがあるか否かが判定される
オ　「【００２１】
画像ファイルがある場合
画像データがプリンタ側に取り込まれて、画像メモリ４９やシステムコントローラ内のメモリ４２などにプリント作業のために一時的に書き込まれる
カ　「【００２２】次に、バーコードの付与が必要ない場合には、これの指示が入力される。この場合には、画像データ保管場所バーコード３３は記録されることがなく、単に画像データのみに基づきプリント画像がプリントされる。デフォルトでは、バーコードの付与とされているので、
画像データの保管場所を示す画像データ保管場所バーコードが作成され、これが画像処理部４６で、プリント画像３５の一方の側縁部３５ａに画像合成される。サーマルヘッド駆動部５２は、この画像合成されたデータに基づき記録紙１０に対してプリントを行う
キ　「【００２３】なお、
再プリントの際に、画像データ保管場所バーコード付きのプリント２９が記録紙出入り口２７から挿入されたときには、送りローラ対１５によりこのプリント２９がプリンタ内に引き込まれる。そして、バーコードセンサ３１の読み取り位置に、画像データ保管場所バーコード３３が位置決めされる。バーコードリーダー３２は、バーコードセンサ３１からバーコード読み取り信号から画像データの保管場所情報に変換する。この後は、キー入力による場合と同じようにして、プリントが行われる
【００２４】また、メモリカードがリーダーライタ５５に挿入されたときには、メモリカードから、保管画像情報及びサムネイル画像の読み出しが行われる。そして、ディスプレイ４３にサムネイル画像が表示される。オペレータは、このサムネイル画像を観察して、所望のプリントコマを指定する。この指定により、このプリントコマの画像データがメモリカードから読み出される。この後は、キー入力による場合と同じようにして、プリントが行われる。
【００２５】このように、プリント画像３５とともに、これの画像データの保管場所を示す保管場所バーコード３３を記録するので、再プリントの際には、この再プリント希望のプリント２９を記録紙出入り口２７から挿入するだけでよく、
再プリントを簡単に行うことができる。しかも、画像データはプリント時と同じものを使用するので、仕上がりが同じとなるプリントが得られる
ク　上記記載事項エ及び図３から、
システムコントローラ４０は、画像データ保管場所情報を取得していること
ケ　上記記載事項オ及び図３から、
システムコントローラ４０は、画像データをプリンタ側に取り込んで、画像メモリ４９やシステムコントローラ内のメモリ４２などにプリント作業のために一時的に書き込むこと
コ　上記記載事項ウ、カ及び図３から、
システムコントローラ４０は、画像データの保管場所を示す画像データ保管場所バーコードを作成し、これを画像処理部４６で、プリント画像３５の一方の側縁部３５ａに画像合成させて、サーマルヘッド駆動部５２に送り、この画像合成されたデータに基づき記録紙１０に対してプリントを行わせること
　　
サ　上記記載事項アないしコ及び図面の記載からみて、引用例１には、以下の発明が記載されているものと認められる。 
「プリント時と同じ画像データを使用して、仕上がりが同じとなる再プリントを簡単に行うことができるカラー感熱プリンタのシステムコントローラ４０であって、
　ＣＰＵ４１、メモリ４２、ディスプレイ４３、操作パネル４４を備えており、各部を制御し、
　バーコードデータ生成部４５、画像処理部４６、プリントコントローラ４７、メモリコントローラ４８、画像メモリ４９、データ入出力部５０、通信部５１が接続されていて、
　キー入力により、外部画像データの画像データ保管場所情報を入力すると、通信部５１が作動して、インターネットアドレスで記述された画像データ保管場所情報を取得し、該画像データ保管場所情報に基づき、対応する外部画像データ源５８に接続し、該当する画像ファイルがあるか否かを判定して、
　外部画像データ源５８に画像ファイルがある場合、画像データをプリンタ側に取り込んで、画像メモリ４９やシステムコントローラ内のメモリ４２などにプリント作業のために一時的に書き込み、
　画像データの保管場所を示す画像データ保管場所バーコードを作成し、これを画像処理部４６で、プリント画像３５の一方の側縁部３５ａに画像合成させて、サーマルヘッド駆動部５２に送り、この画像合成されたデータに基づき記録紙１０に対してプリントを行わせ、
　再プリントの際には、画像データ保管場所バーコード付きのプリント２９を記録紙出入り口２７から挿入し、送りローラ対１５によりこのプリント２９をプリンタ内に引き込んで、バーコードセンサ３１の読み取り位置に、画像データ保管場所バーコード３３を位置決めして、バーコードリーダー３２が、バーコードセンサ３１からのバーコード読み取り信号を画像データの保管場所情報に変換して、この後は、キー入力による場合と同じようにして、プリントを行う、
カラー感熱プリンタのシステムコントローラ４０。」（以下「引用発明１」という。）
　　
（２）　本願の出願前に頒布され、原査定の拒絶の理由において引用された刊行物である、特開平１０−２７８３５２号公報（以下「引用例２」という。）には、次の事項が図とともに記載されている。
ア　「【００４４】図１は、本発明の一実施形態にかかる
印刷処理システム
【００４５】図において、画像入力装置１０はカラー画像の色画像データを画像処理装置２０へ入力し、同画像処理装置２０は同色画像データについて内部にて各種の画像処理を行う。この画像処理には印刷処理も含まれるため、当該画像処理装置２０は印刷制御装置も兼用している。印刷処理に関し、
同画像処理装置２０にはカラー印刷可能な印刷装置３０が接続されており
【００４６】ここにおいて、画像入力装置１０の具体例はスキャナ１１やデジタルスチルカメラ１２あるいはビデオカメラ１４などが該当し、
画像処理装置２０の具体例はコンピュータ２１とハードディスク２２
などからなるコンピュータシステムが該当する
【００４７】また、同コンピュータシステムには通信回線４０を介して複数の印刷装置３０が接続されており、各印刷装置３０の具体例はカラーインクジェット方式のプリンタ３１となっている。ここにおいて同プリンタ３１は破線で示す他のコンピュータシステムを介して同通信回線４０に接続されている。」
イ　「【００４９】
コンピュータシステムにおけるハードディスク２２には図３に示すように設定データとしての複数の修正用ルックアップテーブルＬＵＴ１〜ＬＵＴ２１が記録されている。各修正用ルックアップテーブルＬＵＴ１〜ＬＵＴ２１は、図４に示すように色画像データを構成するＲＧＢデータの変換テーブルであり、各修正用ルックアップテーブルＬＵＴ１〜ＬＵＴ２１は後述するようにプリンタ３１に付された所定のＩＤに関連づけられて利用可能となっている
【００５０】図５はカラーインクジェット方式のプリンタ３１の概略構成を示しており、印字インクとしてシアン（Ｃ）、マゼンタ（Ｍ）、イエロー（Ｙ）、ブラック（Ｋ）の四色の色インクを使用するものであり、各色ごとに印字ヘッドユニット３１ａ１を備えている。このようにして各色ごとに印字ヘッドユニット３１ａ１が独立しているため、各印字ヘッドユニット３１ａ１ごとの機体差によって出力特性にバラツキが生じ、色ずれの要因ともなっている。
【００５１】図６は各印字ヘッドユニット３１ａ１において１ショットで使用される色インクのインク重量とそのクラス分けの対応表を示している。本実施形態においては、このインク重量のクラス分けをＩＤと呼んでいる。図に示すように、ＩＤの範囲は「１」〜「２１」であり、中間の「１１」が基準値となり、本来は１ショットで使用されるインク重量は２０．０〜２０．５ナノグラム（ｎｇ）の範囲であることが望まれる。プリンタ３１の場合はコンピュータ２１内部で利用されるＲＧＢデータに対して上述したＣＭＹＫの色インクを利用して印字することになるが、その際に表色空間が異なるがために色変換する。従って、同じ色を保持しつつ変換するためにはＣＭＹＫが所定量だけ利用されることが前提となり、この使用量のずれは色ずれの原因となってくる。
【００５２】むろん、製造精度を上げてこのずれを小さくすることも可能であるが、印字ヘッドユニット３１ａ１の製造歩留まりを悪化させてしまう。従って、基準値と実際のＩＤとのずれを画像処理装置２０におけるプリンタドライバで修正することにより、ずれを解消させる。図から明らかなようにＩＤが小さいほどインク重量が重いので色インクをたくさん使用しており、逆にＩＤが大きいほど少しの色インクを使用している。従って、ＩＤが大きい場合にはデータが表す濃度を濃いめにすればずれを打ち消すことになるし、逆にＩＤが小さい場合は濃度を薄めにすれずれを打ち消すことができるようになる。このようなずれを打ち消す変換テーブルが図４に示した修正用ルックアップテーブルＬＵＴ１〜ＬＵＴ２１である。」
ウ　「【００６３】プリンタドライバはアプリケーションから印刷処理が実行されたときに起動され、図１０に示すフローチャートに従って印刷データを生成する。
【００６４】起動されると、先ず、ステップＳ１１０にて印刷先となるプリンタ３１が特定される。通常、先の印刷時に使用したプリンタ３１が設定されるが、必要に応じて設定を変更していずれかのプリンタ３１を特定すればよい。
【００６５】印刷するプリンタ３１が特定されたらステップＳ１２０では同プリンタ３１からＩＤを読み込む。このプリンタ３１からのＩＤの読み込みは上述したようにＬＡＮドライバを使用して通信回線４０を介して行われる。そして、ＩＤが読み込まれたらハードディスク２２内に同ＩＤと対応して記録されている修正用ルックアップテーブルＬＵＴ１〜ＬＵＴ２１を読み込む。
【００６６】
この修正用ルックアップテーブルＬＵＴ１〜ＬＵＴ２１は各印字ヘッドユニット３１ａ１におけるインク吐出量の偏差に対応して形成された変換テーブルであり、設定データといえる
プリンタ３１から読み込まれたＩＤによって複数の設定データのうちのいずれかが選択され、コンピュータ２１に読み込まれたことになる
【００６７】読み込まれた修正用ルックアップテーブルＬＵＴ１〜ＬＵＴ２１を利用するには、印刷用色画像データを構成するＲＧＢデータを同修正用ルックアップテーブルＬＵＴ１〜ＬＵＴ２１で変換し、変換値を利用してさらに色変換することも可能である。しかしながら、ステップＳ１４０にて
このような変換テーブルを利用して色変換用ルックアップテーブルを書き換えることにより、
同色変換ルックアップテーブルを参照すれば印字ヘッドユニット３１ａ１の機体差を解消しつつＲＧＢデータをＣＭＹＫデータへと一度に変換可能となる
【００６８】この後、通常のプリンタドライバと同様にステップＳ１６０にて２５６階調から２階調へと階調変換し、ステップＳ１７０にて印刷データをプリンタ３１に出力する。この場合、プリンタ３１では機体差によって印刷データが示すとおりの色再現ができないものの、この印刷データはプリンタ３１の機体差を打ち消すように予め変換されているものであるから、打ち出された印刷物は色再現性の良いものとなっている。」
　　
　上記記載事項アないしウ及び図面の記載からみて、引用例２には、以下の発明が記載されているものと認められる。 
「コンピュータ２１及びハードディスク２２などからなるコンピュータシステムと、複数のカラーインクジェット方式のプリンタ３１を有する印刷処理システムにおいて、
　プリンタ３１に付された所定のＩＤに関連づけられて利用可能となっていて、色画像データを構成するＲＧＢデータの変換テーブルである複数の修正用ルックアップテーブルＬＵＴ１〜ＬＵＴ２１がハードディスク２２に記録されており、
　修正用ルックアップテーブルＬＵＴ１〜ＬＵＴ２１をコンピュータ２１に読み込んで利用して色変換用ルックアップテーブルを書き換えることにより、同色変換ルックアップテーブルを参照すれば印字ヘッドユニット３１ａ１の機体差を解消しつつＲＧＢデータをＣＭＹＫデータへと一度に変換可能となること。」（以下「引用発明２」という。）
　　
（３）　本願の出願前に頒布された刊行物である、特開２０００−５９６３８号公報（以下「引用例３」という。）には、次の事項が図とともに記載されている。
ア　「【００１９】本発明はこのような問題に鑑みてなされたもので、その目的とするところは、
画像の取り込み回数が１度でよく、取り込んだ画像を種々の出力装置に用いることができ、画像の修正等も容易な画像作成装置
イ　「【００２０】
【課題を解決するための手段】図１は、本発明に係る画像形成装置１の概略説明図である。３は、写真原稿である。スキャナ５は、
写真原稿３をスキャンし、画像データであるマスターデータ７を得る
【００２１】マスターアーカイブ９は、マスターデータ７をハードディスク、ＭＯ、ＣＤ−ＲＯＭ等の記録媒体に保存し、画像情報をデータベース化したものである。マスターアーカイブ９からある出力装置の特性に合わせて解像度変換、ハイライトポイント、シャドーポイントの設定、トーンカーブ修正、色調補正等の画像変換１１を行なう。また、このとき、好ましい色再現を実現するための作り込みを行うこともできる。
【００２２】このようにして、デスティネーションデータ１５を作成する。
デスティネーションアーカイブ１７は、デスティネーションデータ１５を、ＭＯ、ＣＤ−ＲＯＭ等の記録媒体に保存し、画像情報をデータベース化したものである。デスティネーションデータ１５及びデスティネーションアーカイブ１７は、特定の出力装置に表示した時に、きれいな画像に見えることを目的とするデータ
【００２３】デスティネーションデータ１５の作成は、モニタ１９に画像を表示しながら、補正を行なうが、モニタ１９の色再現、階調再現特性は、常に同じ環境に統一しておく。このようにすれば、常に同じ環境下でデスティネーションデータ１５を作成することができる。
【００２４】
履歴１３は、マスターデータ７からデスティネーションデータ１５を作成する際の変換や修正等を画像ごとに履歴として残したものである。この履歴１３を用いれば、マスターデータ７から何度でも同じデスティネーションデータ１５を作成することができる
【００２５】マスターアーカイブ９は、スキャナ５を常に同一条件に設定して得られた画像であるため、測色値への画像変換２１が行われ、測色値（Ｌａｂ）画像２３が得られる。測色値（Ｌａｂ）画像２３を用いて、劣化した写真原稿３の原稿修復２５を行なったり、名画等の画像解析２７を行なうことができる。」
ウ　「【００３１】図５は、
画像作成装置５０の出力処理
出力装置を選択する
【００３２】ｓＲＧＢ規格に調整できないパソコンモニタ９３の場合は、ｓＲＧＢプロフィル８９とモニタプロファイル９１に記述された条件に基づき、ｓＲＧＢのデータを色変換エンジン８７を用いて、ＲＧＢのデータに変換し、表示する。
【００３３】
プリンタ８５の場合は
印刷する
エ　「【００３８】
デスティネーションアーカイブ７３を作成するための履歴６９が残っているため、履歴６９を利用すれば、何度でも同じデスティネーションアーカイブ７３を作成できる
　　
　上記記載事項アないしエ及び図面の記載からみて、引用例３には、以下の発明が記載されているものと認められる。 
「取り込んだ画像を印刷するプリンタに用いることができ、画像の修正等も容易な画像作成装置において、
　画像データであるマスターデータから、特定のプリンタに表示した時に、きれいな画像に見えることを目的とするデスティネーションデータを作成する際の変換や修正等を前記画像ごとに履歴として残して、前記履歴を用いれば、前記マスターデータから何度でも同じ前記デスティネーションデータを作成することができるようにしたこと。」（以下「引用発明３」という。）
 　　
４　本願補正発明と引用発明１との対比・判断
（１）対比
　本願補正発明と引用発明１とを対比する。
ア　引用発明１の「カラー感熱プリンタ」が本願補正発明の「画像形成装置」に、以下同様に「システムコントローラ４０」が「制御装置」に、「プリント」が「印刷済み画像」に、「再プリント」が「再現画像」に、「仕上がりが同じとなる再プリントを簡単に行う」が「印刷済み画像を再現する再現画像を印刷する」に、「インターネットアドレス」が「ネットワークアドレス」に、「外部画像データ源５８」が「画像情報センタ」に、「画像ファイル」が「画像データ」に、それぞれ相当している。
イ　引用発明１の「画像データ保管場所情報」は、「再プリントの際」に用いるものであって、「ネットワークアドレス（インターネットアドレス）で記述された」ものであるから、引用発明１の「インターネットアドレスで記述された画像データ保管場所情報」は、本願補正発明の「印刷済み画像に関するネットワークアドレス」に相当する。
ウ　引用発明１の「画像形成装置（カラー感熱プリンタ）の制御装置（システムコントローラ４０）」は、「再プリントの際には、画像データ保管場所バーコード付きのプリント２９を記録紙出入り口２７から挿入し、送りローラ対１５によりこのプリント２９をプリンタ内に引き込んで、バーコードセンサ３１の読み取り位置に、画像データ保管場所バーコード３３を位置決めして、バーコードリーダー３２が、バーコードセンサ３１からのバーコード読み取り信号を画像データの保管場所情報に変換して」、「インターネットアドレスで記述された画像データ保管場所情報を取得し、該画像データ保管場所情報に基づき、対応する外部画像データ源５８に接続」するから、引用発明１の「制御装置（システムコントローラ４０）」は、本願補正発明の「ネットワークアドレス取得手段」に相当し、「前記印刷済み画像に関するネットワークアドレスを取得する」点で一致する。
エ　引用発明１の「画像形成装置（カラー感熱プリンタ）の制御装置（システムコントローラ４０）」は、「インターネットアドレスで記述された画像データ保管場所情報を取得し、該画像データ保管場所情報に基づき、対応する外部画像データ源５８に接続し、該当する画像ファイルがあるか否かを判定して」、「外部画像データ源５８に画像ファイルがある場合、画像データをプリンタ側に取り込んで、画像メモリ４９やシステムコントローラ内のメモリ４２などにプリント作業のために一時的に書き込」んでいるから、引用発明１の「制御装置（システムコントローラ４０）」は、本願補正発明の「画像情報取得手段」に相当し、「前記ネットワークアドレスにアクセスして、前記ネットワークアドレスの画像情報センタから前記印刷済み画像の画像データを取得する」点で一致する。
オ　引用発明１の「画像形成装置（カラー感熱プリンタ）の制御装置（システムコントローラ４０）」は、「画像データをプリンタ側に取り込んで、画像メモリ４９やシステムコントローラ内のメモリ４２などにプリント作業のために一時的に書き込み」、「画像データの保管場所を示す画像データ保管場所バーコードを作成し、これを画像処理部４６で、プリント画像３５の一方の側縁部３５ａに画像合成させて、サーマルヘッド駆動部５２に送り、この画像合成されたデータに基づき記録紙１０に対してプリントを行わせ」ているから、引用発明１の「制御装置（システムコントローラ４０）」は、本願補正発明の「印刷データ変換手段」に相当し、「前記画像データを用いて前記印刷データを得る」点で一致する。
　　
　上記アないしオから、本願補正発明は、引用発明１の「画像形成装置（カラー感熱プリンタ）の制御装置（システムコントローラ４０）」と、以下の点で一致している。 
「印刷済み画像を再現する再現画像を印刷する画像形成装置の制御装置であって、
　前記印刷済み画像に関するネットワークアドレスを取得するネットワークアドレス取得手段と、
　前記ネットワークアドレスにアクセスして、前記ネットワークアドレスの画像情報センタから前記印刷済み画像の画像データを取得する画像情報取得手段と、
　前記画像データを用いて前記印刷データを得る印刷データ変換手段と
を備えた制御装置。」 
　　
　そして、以下の点で相違している。 
（相違点１）
　「画像情報取得手段」が、本願補正発明では「前記ネットワークアドレスにアクセスして、前記ネットワークアドレスの画像情報センタから前記印刷済み画像の画像データ及び前記画像データから印刷データへの変換に用いる変換データを修正するための、画像データ毎に設けられ、画像形成装置毎の微調整のために用いられる修正用データとを取得する」のに対し、引用発明１では、「前記ネットワークアドレスにアクセスして、前記ネットワークアドレスの画像情報センタから前記印刷済み画像の画像データを取得する」にとどまる点。
（相違点２）
　「印刷データ変換手段」が、本願補正発明では「前記画像データと前記修正用データとを用いて前記印刷データを得る」のに対し、引用発明１では、「前記画像データを用いて前記印刷データを得る」にとどまる点。
　　
（２）判断
　上記相違点について検討する。 
（相違点１及び相違点２について） 
　引用例２には、
「コンピュータ２１及びハードディスク２２などからなるコンピュータシステムと、複数のカラーインクジェット方式のプリンタ３１を有する印刷処理システムにおいて、
　プリンタ３１に付された所定のＩＤに関連づけられて利用可能となっていて、色画像データを構成するＲＧＢデータの変換テーブルである複数の修正用ルックアップテーブルＬＵＴ１〜ＬＵＴ２１がハードディスク２２に記録されており、
　修正用ルックアップテーブルＬＵＴ１〜ＬＵＴ２１をコンピュータ２１に読み込んで利用して色変換用ルックアップテーブルを書き換えることにより、同色変換ルックアップテーブルを参照すれば印字ヘッドユニット３１ａ１の機体差を解消しつつＲＧＢデータをＣＭＹＫデータへと一度に変換可能となること。」
が引用発明２として記載されている。（上記「３（２）」参照。）
　また、引用例３には、
「取り込んだ画像を印刷するプリンタに用いることができ、画像の修正等も容易な画像作成装置において、
　画像データであるマスターデータから、特定のプリンタに表示した時に、きれいな画像に見えることを目的とするデスティネーションデータを作成する際の変換や修正等を前記画像ごとに履歴として残して、前記履歴を用いれば、前記マスターデータから何度でも同じ前記デスティネーションデータを作成することができるようにしたこと。」
が引用発明３として記載されている。（上記「３（３）」参照。）
　また、画像データ及び修正用データをまとめて同一の保存場所である同一記録媒体に保存しておくことも、例えば本願の出願前に頒布された刊行物である特開平６−８５３７号公報（特に、段落【００２２】、【００２６】〜【００２９】及び図３参照。）、特開昭５７−１８５７７８号公報（特に、第３頁右上欄１７行〜左下欄４行、第４頁左上欄８〜１５行及び同頁右上欄４〜１６行参照。）に記載されているとおり、本件出願前に周知の事項である。（以下、「周知技術」という。）
　引用発明１において、印字ヘッドユニットの機体差を解消しつつＲＧＢデータをＣＭＹＫデータへと一度に変換可能とするために、色変換ルックアップテーブルを書き換えるための修正用ルックアップテーブルを、画像データの保管場所に、画像データとともに保管するようになすとともに、前記修正用ルックアップテーブルの保管を、画像データ毎に行うようになすことは、当業者が、引用発明２、引用発明３及び周知技術に基づいて容易になし得たことである。
　上記修正用ルックアップテーブルは、本願補正発明の「画像データから印刷データへの変換に用いる変換データを修正するための、画像データ毎に設けられ、画像形成装置毎の微調整のために用いられる修正用データ」に相当する。
　すなわち、引用発明１の画像形成装置の制御装置において、画像情報取得手段が、前記ネットワークアドレスにアクセスして、前記ネットワークアドレスの画像情報センタから前記印刷済み画像の画像データ及び前記画像データから印刷データへの変換に用いる変換データを修正するための、画像データ毎に設けられ、画像形成装置毎の微調整のために用いられる修正用データとを取得するようになし、印刷データ変換手段が、前記画像データと前記修正用データとを用いて前記印刷データを得るようになすことは、当業者が引用発明２、引用発明３及び周知技術に基づいて適宜なし得たことである。
　　
　そして、本願補正発明の効果は、引用発明１、引用発明２、引用発明３及び周知技術から当業者が予測し得る範囲のものである。 
　したがって、本願補正発明は、当業者が引用例１に記載された発明、引用例２に記載された発明、引用例３に記載された発明及び周知技術に基づいて容易に発明をすることができたものと認める。
　　
５　小括
　本願補正発明は、上記４のとおり、当業者が引用例１に記載された発明、引用例２に記載された発明、引用例３に記載された発明及び周知技術に基づいて容易に発明をすることができたものであるから、特許法第２９条第２項の規定により特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　
第３　本願発明について 
１　本願発明 
　本件補正は上記のとおり却下されたので、本願の請求項１ないし１３に係る発明は、平成２１年１０月１６日付け手続補正によって補正された特許請求の範囲の請求項１ないし１３に記載された事項によって特定されるものであるところ、請求項１に係る発明（以下「本願発明」という。）は、上記「第２〔理由〕１（１）」に本件補正前の請求項１として記載したとおりのものである。 
 　 
２　引用例１及び引用例２
　原査定の拒絶の理由に引用された引用例１及びその記載事項は、前記「第２〔理由〕３（１）」に記載したとおりである。 
　また、原査定の拒絶の理由に引用された引用例２及びその記載事項は、前記「第２〔理由〕３（２）」に記載したとおりである。 
 　 
３　対比・判断
　本願発明と引用発明１とを対比する。
ア　引用発明１の「カラー感熱プリンタ」が本願発明の「画像形成装置」に、以下同様に「システムコントローラ４０」が「制御装置」に、「プリント」が「印刷済み画像」に、「再プリント」が「再現画像」に、「仕上がりが同じとなる再プリントを簡単に行う」が「印刷済み画像を再現する再現画像を印刷する」に、「インターネットアドレス」が「ネットワークアドレス」に、「外部画像データ源５８」が「画像情報センタ」に、「画像ファイル」が「画像データ」に、それぞれ相当している。
イ　引用発明１の「画像データ保管場所情報」は、「再プリントの際」に用いるものであって、「ネットワークアドレス（インターネットアドレス）で記述された」ものであるから、引用発明１の「インターネットアドレスで記述された画像データ保管場所情報」は、本願発明の「印刷済み画像に関するネットワークアドレス」に相当する。
ウ　引用発明１の「画像形成装置（カラー感熱プリンタ）の制御装置（システムコントローラ４０）」は、「再プリントの際には、画像データ保管場所バーコード付きのプリント２９を記録紙出入り口２７から挿入し、送りローラ対１５によりこのプリント２９をプリンタ内に引き込んで、バーコードセンサ３１の読み取り位置に、画像データ保管場所バーコード３３を位置決めして、バーコードリーダー３２が、バーコードセンサ３１からのバーコード読み取り信号を画像データの保管場所情報に変換して」、「インターネットアドレスで記述された画像データ保管場所情報を取得し、該画像データ保管場所情報に基づき、対応する外部画像データ源５８に接続」するから、引用発明１の「制御装置（システムコントローラ４０）」は、本願発明の「ネットワークアドレス取得手段」に相当し、「前記印刷済み画像に関するネットワークアドレスを取得する」点で一致する。
エ　引用発明１の「画像形成装置（カラー感熱プリンタ）の制御装置（システムコントローラ４０）」は、「インターネットアドレスで記述された画像データ保管場所情報を取得し、該画像データ保管場所情報に基づき、対応する外部画像データ源５８に接続し、該当する画像ファイルがあるか否かを判定して」、「外部画像データ源５８に画像ファイルがある場合、画像データをプリンタ側に取り込んで、画像メモリ４９やシステムコントローラ内のメモリ４２などにプリント作業のために一時的に書き込」んでいるから、引用発明１の「制御装置（システムコントローラ４０）」は、本願発明の「画像情報取得手段」に相当し、「前記ネットワークアドレスにアクセスして、前記ネットワークアドレスの画像情報センタから前記印刷済み画像の画像データを取得する」点で一致する。
オ　引用発明１の「画像形成装置（カラー感熱プリンタ）の制御装置（システムコントローラ４０）」は、「画像データをプリンタ側に取り込んで、画像メモリ４９やシステムコントローラ内のメモリ４２などにプリント作業のために一時的に書き込み」、「画像データの保管場所を示す画像データ保管場所バーコードを作成し、これを画像処理部４６で、プリント画像３５の一方の側縁部３５ａに画像合成させて、サーマルヘッド駆動部５２に送り、この画像合成されたデータに基づき記録紙１０に対してプリントを行わせ」ているから、引用発明１の「制御装置（システムコントローラ４０）」は、本願発明の「印刷データ変換手段」に相当し、「前記画像データを用いて前記印刷データを得る」点で一致する。
　　
　上記アないしオから、本願発明は、引用発明１の「画像形成装置（カラー感熱プリンタ）の制御装置（システムコントローラ４０）」と、以下の点で一致している。 
「印刷済み画像を再現する再現画像を印刷する画像形成装置の制御装置であって、
　前記印刷済み画像に関するネットワークアドレスを取得するネットワークアドレス取得手段と、
　前記ネットワークアドレスにアクセスして、前記ネットワークアドレスの画像情報センタから前記印刷済み画像の画像データを取得する画像情報取得手段と、
　前記画像データを用いて前記印刷データを得る印刷データ変換手段と
を備えた制御装置。」 
　　
　そして、以下の点で相違している。 
（相違点１’）
　「画像情報取得手段」が、本願発明では「前記ネットワークアドレスにアクセスして、前記ネットワークアドレスの画像情報センタから前記印刷済み画像の画像データ及び前記画像データから印刷データへの変換に用いる変換データを修正するための画像形成装置毎の微調整用の修正用データとを取得する」のに対し、引用発明１では、「前記ネットワークアドレスにアクセスして、前記ネットワークアドレスの画像情報センタから前記印刷済み画像の画像データを取得する」にとどまる点。
（相違点２）
　「印刷データ変換手段」が、本願発明では「前記画像データと前記修正用データとを用いて前記印刷データを得る」のに対し、引用発明１では、「前記画像データを用いて前記印刷データを得る」にとどまる点。
　　
　上記相違点について検討する。 
（相違点１’及び相違点２について） 
　引用例２には、
「コンピュータ２１及びハードディスク２２などからなるコンピュータシステムと、複数のカラーインクジェット方式のプリンタ３１を有する印刷処理システムにおいて、
　プリンタ３１に付された所定のＩＤに関連づけられて利用可能となっていて、色画像データを構成するＲＧＢデータの変換テーブルである複数の修正用ルックアップテーブルＬＵＴ１〜ＬＵＴ２１がハードディスク２２に記録されており、
　修正用ルックアップテーブルＬＵＴ１〜ＬＵＴ２１をコンピュータ２１に読み込んで利用して色変換用ルックアップテーブルを書き換えることにより、同色変換ルックアップテーブルを参照すれば印字ヘッドユニット３１ａ１の機体差を解消しつつＲＧＢデータをＣＭＹＫデータへと一度に変換可能となること。」
が引用発明２として記載されている。（上記「第２〔理由〕３（２）」参照。）
　また、画像データ及び修正用データをまとめて同一の保存場所である同一記録媒体に保存しておくことは、周知技術に示されているとおりである。（上記「第２〔理由〕４（２）」参照。）
　引用発明１において、印字ヘッドユニットの機体差を解消しつつＲＧＢデータをＣＭＹＫデータへと一度に変換可能とするために、色変換ルックアップテーブルを書き換えるための修正用ルックアップテーブルを、画像データの保管場所に、画像データとともに保管するようになすことは、当業者が、引用発明２及び周知技術に基づいて容易になし得たことである。
　上記修正用ルックアップテーブルは、本願発明の「画像データから印刷データへの変換に用いる変換データを修正するための画像形成装置毎の微調整用の修正用データ」に相当する。
　すなわち、引用発明１の画像形成装置の制御装置において、画像情報取得手段が、前記ネットワークアドレスにアクセスして、前記ネットワークアドレスの画像情報センタから前記印刷済み画像の画像データ及び前記画像データから印刷データへの変換に用いる変換データを修正するための画像形成装置毎の微調整用の修正用データとを取得するようになし、印刷データ変換手段が、前記画像データと前記修正用データとを用いて前記印刷データを得るようになすことは、当業者が引用発明２及び周知技術に基づいて適宜なし得たことである。
　　
　そして、本願発明の効果は、引用発明１、引用発明２及び周知技術から当業者が予測し得る範囲のものである。 
　したがって、本願発明は、当業者が引用例１に記載された発明、引用例２に記載された発明及び周知技術に基づいて容易に発明をすることができたものと認める。
　　
第４　むすび
　以上のとおり、本願発明は、原査定の拒絶の理由に引用された引用例１に記載された発明、同じく原査定の拒絶の理由に引用された引用例２に記載された発明及び周知技術に基づき、当業者が容易に発明をすることができたものであるから、特許法第２９条第２項の規定により特許を受けることができない。
　よって、結論のとおり審決する。